【手続補正書】
【提出日】平成22年4月22日(2010.4.22)
【手続補正１】
【補正対象書類名】特許請求の範囲
【補正対象項目名】全文
【補正方法】変更
【補正の内容】
【特許請求の範囲】
【請求項１】
マイクを備える電子機器であって、
前記マイクを内部空間に保持すると共に、外部から伝達される振動を吸収する振動吸収体と、
底面部及び外周部を有するコップ形状を有し、前記底面部が前記マイクの前面を覆い且つ前記外周部が前記マイクの側面を覆うように配され、前記外周部の一部が前記振動吸収体に挿通される金属筐体と、
前記振動吸収体に対して前記金属筐体の前記底面部とは反対側に配され、前記金属筐体の前記外周部の一部の端部と係合する金属板と、
前記金属板に当接して設けられ、前記金属板と当該電子機器の本体とを導通させる導電性部材と、
を備えることを特徴とする電子機器。
【請求項２】
前記振動吸収体の外周部に貫通孔が形成されており、前記金属筐体の前記外周部の一部は前記貫通孔に挿通されることを特徴とする請求項１記載の電子機器。
【請求項３】
前記金属筐体の前記底面部に集音用の孔が設けられると共に、前記金属筐体の前記外周部の一部の端部に前記金属板を係止する爪部が設けられていることを特徴とする請求項１又は２記載の電子機器。
【請求項４】
前記爪部は、前記金属板が前記金属筐体に対して回動されることにより前記金属板を係止することを特徴とする請求項３記載の電子機器。
【請求項５】
前記金属筐体は、前記金属板と電気的に接触していることを特徴とする請求項１乃至４のいずれか１項に記載の電子機器。
【請求項６】
前記振動吸収体と前記金属板との間に介装されるスペーサを更に備えることを特徴とする請求項１乃至５のいずれか１項に記載の電子機器。
【請求項７】
前記スペーサは、円盤形状を有すると共に、その外周縁部において半径方向に突出する突起部を有し、
前記突起部は、前記振動吸収体の外周縁部から突出するように配置されることを特徴とする請求項６記載の電子機器。
【手続補正２】
【補正対象書類名】明細書
【補正対象項目名】発明の名称
【補正方法】変更
【補正の内容】
【発明の名称】電子機器
【手続補正３】
【補正対象書類名】明細書
【補正対象項目名】０００４
【補正方法】変更
【補正の内容】
【０００４】
本発明の目的は、高いノイズ防止効果を実現しつつマイクの集音面に対して省スペースに収めることができ、加えて組み立て及び分解作業を容易に行うことができるマイク取付構造を有する電子機器を提供することにある。
【手続補正４】
【補正対象書類名】明細書
【補正対象項目名】０００５
【補正方法】変更
【補正の内容】
【０００５】
上記目的を達成するために、本発明は、マイクを備える電子機器であって、前記マイクを内部空間に保持すると共に、外部から伝達される振動を吸収する振動吸収体と、底面部及び外周部を有するコップ形状を有し、前記底面部が前記マイクの前面を覆い且つ前記外周部が前記マイクの側面を覆うように配され、前記外周部の一部が前記振動吸収体に挿通される金属筐体と、前記振動吸収体に対して前記金属筐体の前記底面部とは反対側に配され、前記金属筐体の前記外周部の一部の端部と係合する金属板と、前記金属板に当接して設けられ、前記金属板と当該電子機器の本体とを導通させる導電性部材と、を備えることを特徴とする。
【手続補正５】
【補正対象書類名】明細書
【補正対象項目名】０００６
【補正方法】変更
【補正の内容】
【０００６】
本発明によれば、振動吸収体が、マイクを内部空間に保持すると共に、外部から伝達される振動を吸収し、金属筐体が、マイクの前面及び側面を覆うように配され、且つ、金属筐体の外周部の一部が振動吸収体に挿通される。さらに、金属筐体の外周部の一部の端部が金属板と係合し、該金属板に当接して設けられた導電性部材が金属板と電子機器の本体とを導通させる。これにより、マイクに伝達される振動が吸収されると共に金属筐体が帯電することがなく、高いノイズ防止効果を実現することができる。また、振動吸収体の内部空間にマイクが保持されると共に、金属筐体の外周部の一部が振動吸収体に挿通され、金属板が振動吸収体に対して金属筐体の底面部とは反対側に配されるので、マイクの集音面に対して省スペースに収めることができる。さらに、金属板は、金属筐体の外周部の一部の端部と係合しているのみなので、組み立て及び分解作業を容易に行うことができる。したがって、高いノイズ防止効果を実現しつつマイクの集音面に対して省スペースに収めることができ、加えて組み立て及び分解作業を容易に行うことができる。
【手続補正６】
【補正対象書類名】明細書
【補正対象項目名】０００８
【補正方法】変更
【補正の内容】
【０００８】
図１は、本発明の実施の形態に係るマイク取付構造を有する電子機器であるデジタルスチルカメラの構成を概略的に示す斜視図である。
【手続補正７】
【補正対象書類名】明細書
【補正対象項目名】００１７
【補正方法】変更
【補正の内容】
【００１７】
金属板２４は、マイクキャップ２１の外径よりも大きい外径を有する略円盤形状の部材である。金属板２４は、マイクキャップ２１と同心に配設され且つ振動吸収体２２に対してマイクキャップ２１の底面部とは反対側に配され、一対の脱落防止用爪部２１ａ，２１ｂと係合する。金属板２４の外周部近傍には一対の貫通孔２４ａ，２４ｂが形成されており、一対の脱落防止用爪部２１ａ，２１ｂが一対の貫通孔２４ａ，２４ｂに挿通される。図２（ｄ）に示すように、貫通孔２４ａには、マイクキャップ２１の脱落防止用爪部２１ａが挿通され、貫通孔２４ｂには、マイクキャップ２１の脱落防止用爪部２１ｂが挿通される。
【手続補正８】
【補正対象書類名】明細書
【補正対象項目名】００３０
【補正方法】変更
【補正の内容】
【００３０】
導電性弾性体４１は、金属板２４に当接して設けられ、押さえ板金４２及び板バネ４３を介して金属板２４とデジタルスチルカメラ本体とを導通させる。すなわち、マイクユニット１６ａ，１６ｂから板バネ４３までは、導電性弾性体４１及び押さえ板金４２を通じて導通しており、板バネ４３とデジタルスチルカメラ本体の不図示のシャーシとを導通することにより、マイクキャップ２１の電気的なグラウンドを取る。これにより、マイク３１に対して静電破壊対策を講じることが可能になる。
【手続補正９】
【補正対象書類名】明細書
【補正対象項目名】００３１
【補正方法】変更
【補正の内容】
【００３１】
本実施の形態によれば、振動吸収体２２が、マイク３１を内部空間に保持すると共に、外部から伝達される振動を吸収し、マイクキャップ２１が、マイク３１の前面及び側面を覆うように配され、且つ、マイクキャップ２１の一対の脱落防止用爪部２１ａ，２１ｂが振動吸収体２２に挿通される。さらに、一対の脱落防止用爪部２１ａ，２１ｂが金属板２４と係合し、金属板２４に当接して設けられた導電性弾性体４１等の導電性部材が金属板２４とデジタルスチルカメラ本体とを導通させる。これにより、マイク３１に伝達される振動が吸収されると共にマイクキャップ２１が帯電することがなく、高いノイズ防止効果を実現することができる。また、振動吸収体２２の内部空間にマイク３１が保持されると共に、マイクキャップ２１の一対の脱落防止用爪部２１ａ，２１ｂが振動吸収体２２に挿通され、金属板２４が振動吸収体２２に対してマイクキャップ２１の底面部とは反対側に配されるので、マイク３１の集音面に対して省スペースに収めることができる。さらに、金属板２４は、マイクキャップ２１の脱落防止用爪部２１ａ，２１ｂと係合しているのみなので、組み立て及び分解作業を容易に行うことができる。したがって、高いノイズ防止効果を実現しつつマイク３１の集音面に対して省スペースに収めることができ、加えて組み立て及び分解作業を容易に行うことができる。
【手続補正１０】
【補正対象書類名】明細書
【補正対象項目名】００３３
【補正方法】変更
【補正の内容】
【００３３】
また、本実施の形態では、マイク取付構造を有する電子機器としてデジタルスチルカメラを取り上げたが、これに限るものではなく、本発明はデジタルビデオカメラに適用されてもよい。また、マイクを用いて録音する録音機能を有する他の電子機器にも適用することが可能である。
【手続補正１１】
【補正対象書類名】明細書
【補正対象項目名】００３４
【補正方法】変更
【補正の内容】
【００３４】
【図１】本発明の実施の形態に係るマイク取付構造を有する電子機器であるデジタルスチルカメラの構成を概略的に示す斜視図である。
【図２】図１における内蔵マイクユニットの構成を概略的に示す分解斜視図であり、（ａ）〜（ｅ）は、夫々内蔵マイクユニットの組立時における各工程を示す図である。
【図３】図２のマイクユニットの構成を示す図であり、（ａ）は平面図であり、（ｂ）は、（ａ）の線分Ａ−Ａに沿う構成を示す断面図であり、（ｃ）は、（ａ）の線分Ｂ−Ｂに沿う構成を示す断面図である。
【図４】図１におけるマイクユニットをカメラ本体へ取り付ける取付機構を説明する分解斜視図である。
【図５】図１におけるマイクユニットをカメラ本体へ取り付けた状態を示す斜視図である。